(57)【特許請求の範囲】
【請求項１】
アプリケーション実行イベントを感知すれば、アプリケーションを実行する段階と、
前記アプリケーションを実行した後、マスタ開始イベントを感知すれば、チャネル情報を設定する段階と、
アプリケーションと関連した識別情報と前記設定されたチャネル情報を含む識別子を生成する段階と、
前記識別子に応答した外部機器とペアリングをする段階と、
前記ペアリングされた外部機器と前記アプリケーションと関連したデータ通信する段階と
を含む近距離無線通信方法。
【請求項２】
前記識別情報には、前記実行されたアプリケーションのアプリ固有コードが含まれることを特徴とする請求項１に記載の近距離無線通信方法。
【請求項３】
前記チャネル情報を設定する段階は、
あらかじめ定められたチャネル番号区間から１つを選択し、チャネル情報に設定することを特徴とする請求項１に記載の近距離無線通信方法。
【請求項４】
前記チャネル情報を設定する段階は、
前記アプリケーションと連関された識別情報をブロードキャスティングする外部機器を検索する段階と、
前記アプリケーションと連関された識別情報をブロードキャスティングする外部機器が１つ以上検索されれば、チャネル番号区間から前記１つ以上の外部機器が先占したチャネル番号を除いた最も早いチャネル番号を前記ペアリングのためのチャネル情報に設定する段階と、を含むことを特徴とする請求項１に記載の近距離無線通信方法。
【請求項５】
前記ペアリングする段階は、
前記外部機器が、受信した多数の識別子のうち前記識別情報を含む識別子を検索する段階と、
前記外部機器が前記検索された識別子をブロードキャスティングした端末機にペアリングを要請する段階と
を含むことを特徴とする請求項１に記載の近距離無線通信方法。
【請求項６】
前記識別子を検索する段階は、
前記外部機器がアプリケーション実行イベントを感知すれば、当該アプリケーションを実行する段階と、
前記外部機器が前記アプリケーションを実行した後、スレーブ開始イベントを感知すれば、受信された識別子のうち前記識別情報を含む識別子を検索する段階と
を含むことを特徴とする請求項５に記載の近距離無線通信方法。
【請求項７】
前記識別子を検索する段階は、
前記外部機器がアプリケーション実行イベントを感知すれば、当該アプリケーションを実行する段階と、
前記外部機器が前記アプリケーションを実行した後、受信された識別子のうち前記識別情報を含む識別子を検索する段階と、
前記識別情報を含む識別子が１つ以上検索されれば、前記外部機器が検索結果をユーザに通知する段階と
を含むことを特徴とする請求項５に記載の近距離無線通信方法。
【請求項８】
前記識別子を検索する段階は、
前記外部機器が、受信された識別子のうち前記識別情報を含む識別子を検索する段階と、
前記識別情報を含む識別子が１つ以上検索されれば、前記外部機器が検索結果をユーザに通知する段階と
を含むことを特徴とする請求項５に記載の近距離無線通信方法。
【請求項９】
アプリケーション実行イベントを感知すれば、アプリケーションを実行し、前記アプリケーションの実行後、マスタ開始イベントを感知すれば、チャネル情報を設定し、アプリケーションと関連した識別情報と前記設定されたチャネル情報を含む識別子を生成する制御部と、
前記識別子に応答した外部機器とペアリングし、前記ペアリングされた外部機器と前記アプリケーションと関連したデータ通信する無線通信部と
を含む端末機。
【請求項１０】
前記無線通信部は、前記制御部の制御によって前記識別子をブロードキャスティングするように構成され、
前記識別情報には、前記実行されたアプリケーションのアプリ固有コードが含まれるようにことを特徴とする請求項９に記載の端末機。
【請求項１１】
前記制御部は、
前記アプリケーションと連関された識別情報をブロードキャスティングする外部機器を検索し、
前記アプリケーションと連関された識別情報をブロードキャスティングする外部機器が１つ以上検索されれば、チャネル番号区間で前記１つ以上の外部機器が先占したチャネル番号を除いた最も早いチャネル番号を前記ペアリングのためのチャネル情報に設定することを特徴とする請求項９に記載の端末機。
【請求項１２】
前記制御部は、
前記アプリケーションの実行後、スレーブ開始イベントを感知すれば、前記無線通信部が受信した識別子のうち前記識別情報を含む識別子を検索し、
前記検索された識別子をブロードキャスティングした外部機器にペアリングを要請するように前記無線通信部を制御すること
を特徴とする請求項９に記載の端末機。
【請求項１３】
前記制御部は、
前記アプリケーションの実行後、前記無線通信部が受信した識別子のうち前記識別情報を含む識別子を検索し、
前記識別情報を含む識別子が検索されれば、検索された識別子をユーザに通知し、
前記検索された識別子をユーザに通知した後、前記検索された識別子をブロードキャスティングした外部機器にペアリングを要請するように前記無線通信部を制御すること
を特徴とする請求項９に記載の端末機。
【請求項１４】
前記制御部は、
前記無線通信部が受信した識別子のうち前記識別情報を含む識別子を検索し、
前記識別情報を含む識別子が検索されれば、検索された識別子をユーザに通知し、
前記検索された識別子をユーザに通知した後、スレーブ開始イベントを感知すれば、アプリケーションを実行し、前記検索された識別子をブロードキャスティングした外部機器にペアリングを要請するように前記無線通信部を制御すること
を特徴とする請求項９に記載の端末機。
【請求項１５】
前記制御部は、
マスタ開始イベントを感知すれば、あらかじめ定められたチャネル番号区間から１つを選択し、チャネル番号に設定し、
前記設定されたチャネル番号と前記識別情報を含む第１検索用識別子を生成し、前記第１検索用識別子をブロードキャスティングするように前記無線通信部を制御し、
前記第１検索用識別子のブロードキャスティングに対して応答があれば、前記設定されたチャネル番号の次の順序のチャネル番号と前記識別情報を含む第２検索用識別子を生成し、前記第２検索用識別子をブロードキャスティングするように前記無線通信部を制御し、
前記応答がなければ、前記第１検索用識別子を前記ペアリングのための識別子に設定することを特徴とする請求項９に記載の端末機。
【発明の詳細な説明】
【技術分野】
【０００１】
本発明は、近距離無線通信方法及びこれを具現する端末機に関し、特に互いに近接した端末機の間に容易に且つ迅速にペアリングをして、データ通信を行うことができるようにした近距離無線通信方法及びこれを具現する端末機に関する。
【背景技術】
【０００２】
携帯端末機の市場は、購買を刺激する多様なデザインとアプリケーションによって急速に成長している。特に、スマートホンは、与えられた機能だけを使用した従来の携帯電話とは異なって、オンラインマーケットで多様なアプリケーションをダウンロードして設置することができる。
【０００３】
一方、最近、携帯端末機の性能と格納空間が向上するに伴い、人間と人間、機器と機器間の連結及びコンテンツ共有が多くなっている。一般的に、近距離無線通信方法は、アクセスポイント（ＡＰ）を通じて機器の間にペアリング（Ｐａｉｒｒｉｎｇ）して通信する方式と、アクセスポイントなしに機器の間に直接ペアリングして通信する方式がある。ここで、ワイファイ（ＷｉＦｉ）モジュールを利用して機器の間に直接ペアリングして通信する方式は、アドホック（Ａｄｈｏｃ）、モバイルアクセスポイント（Ｍｏｂｉｌｅ  ＡＰ）及びワイファイダイレクト（ＷｉＦｉ−Ｄｉｒｅｃｔ）などがある。
【０００４】
しかし、従来の近距離無線通信方法は、ユーザが手動でワイファイなどを設定しなければならないという不便さがあった。したがって、無線ランなどに知識がないかまたは慣れないユーザにはペアリング手続が非常にややこしくて、複雑に感じられるようになる。
【発明の概要】
【発明が解決しようとする課題】
【０００５】
本発明は、前述した問題点を解決するためになされたものであって、その目的は、近接した機器の間にペアリングを自動に行い、データ通信を行うことができるようにした方法及びこれを具現する端末機を提供することにある。
【課題を解決するための手段】
【０００６】
本発明による近距離無線通信方法は、アプリケーションと関連した識別情報とランダムに選択されたチャネル情報を含む識別子を生成する段階と；前記識別子を外部機器にブロードキャスティングする段階と；前記ブロードキャスティングされた識別子に応答した外部機器とペアリングをする段階と；前記ペアリングされた外部機器と前記アプリケーションと関連したデータ通信する段階と；を備えてなる。
【０００７】
本発明による端末機は、アプリケーションと連関された識別情報とランダムに選択されたチャネル情報を含む識別子を生成する制御部と；前記制御部の制御によって前記識別子をブロードキャスティングし、前記ブロードキャスティングされた識別子に応答した外部機器とペアリングし、前記ペアリングされた外部機器と前記アプリケーションと関連したデータ通信する無線通信部と；を備えてなる。
【発明の効果】
【０００８】
以上より、本発明による近距離無線通信方法及びこれを具現する端末機によれば、近接した機器の間にペアリングを自動で行うことができ、ペアリング手続が非常に簡単で且つ容易である。
【図面の簡単な説明】
【０００９】
【図１】本発明の一実施例による端末機の構成を示す図である。
【図２】本発明の一実施例による近距離無線通信方法を説明するための流れ図である。
【図３】本発明の一実施例によるマスタ端末機で表示される画面である。
【図４】本発明の一実施例によるスレーブ端末機で表示される画面である。
【図５】本発明の他の実施例による近距離無線通信方法を説明するための流れ図である。
【図６】本発明のさらに他の実施例による近距離無線通信方法を説明するための流れ図である。
【図７】本発明のさらに他の実施例による近距離無線通信方法を説明するための流れ図である。
【図８】本発明のさらに他の実施例による近距離無線通信方法を説明するための流れ図である。
【図９】本発明のさらに他の実施例による近距離無線通信方法を説明するための流れ図である。
【図１０】本発明のさらに他の実施例による近距離無線通信方法を説明するための流れ図である。
【図１１】本発明の他の実施例によるマスタ端末機で表示される画面である。
【図１２】本発明の他の実施例によるスレーブ端末機で表示される画面である。
【発明を実施するための形態】
【００１０】
以下、添付の図面を参照して本発明の好ましい実施例によって近距離無線通信方法及びこれを具現する端末機について詳細に説明する。但し、本発明を説明するにあたって、関連した公知機能または構成に対する具体的な説明が本発明の要旨を不明にすることができると判断される場合、その詳細な説明を省略する。
【００１１】
本発明の詳細な説明に先立って、以下で使用される用語や単語は、通常的や辞書的な意味に限定して解釈すべきものではなく、本発明の技術的思想に符合する意味や概念として解釈すべきである。したがって、本明細書と図面は、本発明の好ましい実施例に過ぎず、本発明の技術的思想をすべて代弁するものではないので、本出願時点においてこれらを代替することができる多様な均等物と変形例があり得ることを理解しなければならない。
【００１２】
本発明の実施例による端末機は、ワイファイモジュールを具備した端末機であって、ノートパソコン、デスクトップパソコン、ＭＰ３プレーヤー、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、タブレットパソコン、携帯電話、スマートフォン（Ｓｍａｒｔ  Ｐｈｏｎｅ）などのようなすべての情報通信機器及びマルチメディア機器とそれに対する応用にも適用されることができることは自明である。以下では、端末機がスマートホンに該当するものと仮定して説明する。
【００１３】
本発明の実施例による端末機は、誰がホストまたはアクセスポイントの役目をするかによって、マスタ端末機とスレーブ端末機に区分される。言い換えれば、ペアリングのために識別子、すなわちＳＳＩＤ（Ｓｅｒｖｉｃｅ  Ｓｅｔ  Ｉｄｅｎｔｉｆｉｅｒ）を生成し、ペアリングを受諾する端末機がマスタになり、このようなマスタ端末機にペアリングを要請する端末機がスレーブになる。また、本発明において端末機はマスタになることもでき、スレーブになることもできる。また、本発明において端末機は、このようなペアリング機能を行うアプリケーションをオンラインマーケットでダウンロードして設置することができる。また、本発明において端末機は、クラウドコンピューティング（Ｃｌｏｕｄ  Ｃｏｍｐｕｔｉｎｇ）サービスを提供するクラウドサーバーからアプリケーションを提供されて利用することができる。ここで、本発明の実施例によるアプリケーションは、ペアリング機能を具備したアプリケーションであって、ファイル送受信、ゲーム、チャット、画面共有、映像通話、音声通話、リモートコントロールアプリケーションなどになることができる。以下では、アプリケーションがファイル送受信アプリケーションに該当するものと仮定して説明する。
【００１４】
本発明の実施例によるマスタ端末機は、マスタ開始イベントを感知すれば、多数のチャネル番号のうちいずれか１つをランダムに設定し、設定されたチャネル番号とアプリケーションと連関された識別情報を含む識別子を生成し、生成された識別子を外部機器、すなわちスレーブ端末機にブロードキャスティングしてペアリング準備を完了する。ここで、識別情報には、実行されたアプリケーションのアプリ固有コードを含む。すなわち、アプリケーションは、その種類別にアプリ固有コードを異にする。例えば、ゲームアプリケーションとファイル送受信アプリケーションは、アプリ固有コードを異にする。また、マスタ端末機は、設定されたチャネル番号を表示し、マスタ端末機のユーザは勿論、その周辺のスレーブ端末機のユーザにとってマスタ端末機のチャネル番号を認知するようにすることができる。また、マスタ端末機は、保安のために、識別子をブロードキャスティングしなくてもよい。その代わりに、自分の識別子と同一の識別子を伝送したスレーブ端末機に応答することができる。また、マスタ端末機は、多数のスレーブ端末機とペアリングをすることができる。一方、珍しい場合であるが、近接した距離にマスタ機能を行う端末機が多数存在することができる。この際、多数のマスタ端末機が互いに同一の識別子を使用するようになれば、ペアリングのエラーが生ずる。すなわち、チャネル番号は、識別子が重複されることを防止するためである。例えば、チャネル番号を選択することができる範囲が０〜９９９と仮定すれば、マスタ端末機は、前記範囲で同一のチャネル番号を選択する確率は極めて少ない。したがって、マスタ端末機は、互いに異なるチャネル番号を使用することによって、識別子の重複によるペアリングのエラーを防止することができる。
【００１５】
本発明の実施例によるスレーブ端末機は、スレーブ開始イベントを感知すれば、受信された識別子のうちアプリケーションと連関された識別情報を含んでいる識別子を検索することができる。スレーブ端末機は、検索された識別子をブロードキャスティングした外部機器、すなわちマスタ端末機を選択し、ペアリングをするようになる。すなわち、スレーブ端末機は、識別情報を含んだ識別子を、自分がペアリングをしなければならないマスタ端末機がブロードキャスティングしたものと認識するようになる。もし、珍しい場合であるが、周辺にマスタに動作する端末機があり、識別情報を含んだ識別子が２つ以上検索されれば、スレーブ端末機は、ユーザがマスタ端末機を選択することができるように多数の検索された識別子を表示することができる。または、スレーブ端末機は、識別情報を含んだ識別子が２つ以上検索されれば、多数の検索された識別子のうち信号感度が最も良好な識別子を選択し、選択された識別子の当該マスタ端末機とペアリングをすることもできる。
【００１６】
図１は、本発明の一実施例による端末機の構成を示す図である。
【００１７】
図１を参照すれば、本発明の一実施例による端末機１００は、入力部１１０、表示部１２０、メモリ１３０、無線通信部１４０、カメラ１５０及び制御部１６０を備えてなることができる。ここで、入力部１１０は、ユーザ入力イベントを発生し、制御部１６０に伝達するものであって、タッチスクリーン１１１とキー入力部１１２を備えてなることができる。
【００１８】
タッチスクリーン１１１は、タッチイベントを制御部１６０に伝達する。このようなタッチイベントは、その動作によって、タッチアンドドロップ（Ｔｏｕｃｈ  ＆  Ｄｒｏｐ）、ドラッグアンドドロップ（Ｄｒａｇ  ＆  Ｄｒｏｐ）及びフリックアンドドロップ（Ｆｌｉｃｋ  ＆  Ｄｒｏｐ）などに区分されることができる。ここで、タッチアンドドロップは、いずれか一地点を押してから当該地点で指をはなす動作であり、ドラッグアンドドロップは、いずれか一地点を押した状態で指を所定方向に移動させた後にはなす動作であり、フリックアンドドロップは、弾くように、指を早い速度に移動させた後にはなす動作を意味する。制御部１６０は、移動速度でフリックとドラッグを区分することができる。また、タッチアンドドロップは、タッチ時間によって、タップ（Ｔａｐ）とプレス（Ｐｒｅｓｓ）に区分されることができる。すなわち、タップは、短くタッチした後に指をはなすタッチ動作であり、プレスは、相対的に長くタッチした後に指をはなすタッチ動作を意味する。
【００１９】
また、本発明によるタッチイベントは、その意味によって、マスタ開始イベント、マスタ終了イベント、スレーブ開始イベント及びスレーブ終了イベントなどに区分されることができる。その他、タッチイベントは、位置、方向、距離及び圧力などによって、多様に分類されることができる。一方、タッチスクリーン１１１は、抵抗膜方式（ｒｅｓｉｓｔｉｖｅ  ｔｙｐｅ）、静電容量方式（ｃａｐａｃｉｔｉｖｅ  ｔｙｐｅ）及び圧電方式（ｐｒｅｓｓｕｒｅ  ｔｙｐｅ）などが適用されることができる。
【００２０】
キー入力部１１２は、端末機１００の操作のための複数のキーで構成され、キーイベントを制御部１６０に伝達する。ここで、キーイベントは、電源オン／オフイベント、ボリューム調節イベント、画面オン／オフイベントなどに区分されることができる。
【００２１】
表示部１２０は、制御部１６０から入力された映像データをアナログ信号に変換して表示する。また、表示部１２０は、制御部１６０の制御によって、画面を指示子領域、メイン領域及びサブ領域に分割し、指示子領域に時間、バッテリー残量及び受信率などを表示し、残りの２つの領域には、それぞれメイン画面とサブ画面を表示する。ここで、メイン画面は、ロック画面、ホーム画面、アプリケーション実行画面のうちいずれか１つになることができる。ここで、ロック画面は、一般的に表示部１２０の画面がオンとされれば、表示される映像である。また、ホーム画面は、アプリケーション実行のための多数のアイコンを含む映像である。一方、サブ画面は、実行中であるか、ユーザが頻繁に選択するアプリケーションアイコンを含む映像であることができる。または、サブ画面は、メイン画面の変更などのためのメニューで構成されることができる。
【００２２】
メモリ１３０は、端末機１００の動作に必要なプログラム及びデータを格納する構成であって、運営体制、アプリケーション及びイメージ、オーディオ、ビデオなどのデータを格納することができる。また、メモリ１３０は、主記憶部（ｍａｉｎ  ｓｔｏｒａｇｅ  ｕｎｉｔ）と補助記憶部（ｓｅｃｏｎｄａｒｙ  ｓｔｏｒａｇｅ  ｕｎｉｔ）を含む。ここで、補助記憶部は、フラッシュメモリよりなり、そして主記憶部は、ＲＡＭよりなることができる。
【００２３】
主記憶部は、運営体制とアプリケーションがローディングされる空間である。すなわち、端末機１００が起動されれば、運営体制は、補助記憶部から主記憶部にローディングされた状態で実行される。また、アプリケーションは、補助記憶部から主記憶部にローディングされた状態で実行される。当該アプリケーションは、実行が終了すれば、主記憶部で削除される。一方、補助記憶部は、運営体制（Ｏｐｅｒａｔｉｎｇ  Ｓｙｓｔｅｍ：ＯＳ）、各種アプリケーション及び各種データを格納する空間である。ここで、補助記憶部は、データ領域とプログラム領域とに区分れることができる。特に、本発明によるデータ領域は、識別子生成のためのアプリ固有コードとパスワードテーブルを格納する。ここで、アプリ固有コードは、ユニコード（Ｕｎｉｃｏｄｅ）体系であることができる。また、パスワードテーブルは、多数のチャネル番号それぞれに対応するパスワードで構成される。ここで、多数のチャネル番号は、アプリ固有コードとともに、識別子に含まれる番号であって、例えば、その範囲は、“０〜９９９”になることができる。
【００２４】
無線通信部１４０は、携帯電話通信、短文メッセージサービス（Ｓｈｏｒｔ  Ｍｅｓｓａｇｅ  Ｓｅｒｖｉｃｅ、ＳＭＳ）またはマルチメディアメッセージサービス（Ｍｕｌｔｉｍｅｄｉａ  Ｍｅｓｓａｇｅ  Ｓｅｒｖｉｃｅ、ＭＭＳ）、音声通話、映像通話及びデータ通信などと関連した信号の送受信を行う。また、無線通信部１４０は、音声／音響データ及び制御データなどを無線信号に変換して送信し、無線信号を受信し、音声／音響データ及び制御データなどに変換して出力する。このために、無線通信部１４０は、送信される信号の周波数を上昇変換及び増幅する無線周波数送信部と、受信される信号を低雑音増幅し、周波数を下降変換する無線周波数受信部などを含む。また、無線通信部１４０は、アクセスポイントに接続するか、周辺の機器と近距離無線通信のために、ワイファイモジュール、ブルートゥースモジュールなどを備えてなることができる。
【００２５】
カメラ１５０は、映像を撮影し、撮影したイメージを制御部１６０に出力するものであって、端末機の前面に配置される前面カメラと、後面に配置される後面カメラを含むことができる。
【００２６】
制御部１６０は、端末機１００の全般的な動作及び端末機１００の内部ブロック間の信号フローを制御する。本発明による制御部１８０は、ロック解除イベント、例えば、左から右方向へのドラッグアンドドロップを感知すれば、画面に表示される映像をロック画面からホーム画面またはアプリケーション実行画面に切り替える。制御部１６０は、いずれか１つのアプリケーションアイコンに対するタッチイベント、例えば、タップを感知すれば、当該アプリケーションを実行し、画面に表示される映像をホーム画面からアプリケーション実行画面に切り替える。特に、制御部１６０は、本発明によるマスタ及びスレーブ機能を行う。このような機能について図２〜図１２を参照して具体的に説明する。以下、マスタ端末機とスレーブ端末機は、図１を参照にして説明した端末機１００と同一の構成を有するものであることを明らかにしておく。
【００２７】
図２は、本発明の一実施例による近距離無線通信方法を説明するための流れ図である。図３は、本発明の一実施例によるマスタ端末機で表示される画面であり、図４は、本発明の一実施例によるスレーブ端末機で表示される画面である。
【００２８】
マスタ端末機の表示部は、制御部の制御によって、図３ａに示されたように、指示子画面３０１、ホーム画面３０２及びサブ画面３０３を表示する。ユーザが本発明によるアプリケーションのアイコン３０４をタップするようになれば、タッチスクリーンは、これと関連したタッチイベントを制御部に伝達し、制御部は、これを感知し、段階２０１で、本発明によるアプリケーションを実行し、表示部を制御し、その実行画面３０５をメイン画面領域に表示するようにする。その後、段階２０２で、マスタ端末機の制御部は、マスタ開始イベント、例えば、図３ｂに示されたように、写真伝送アイコン３０６に対するタップを感知するようになれば、マスタ端末機の制御部は、表示部を制御し、例えば、図３ｃに示されたように、写真選択画面３０８を表示するようにする。次に、ユーザが写真を選択し、伝送ボタン３０９をタップするようになれば、段階２０３に進行する。段階２０３で、制御部は、チャネル番号を任意に設定する。例えば、段階２０３で、制御部は、あらかじめ定められたチャネル番号区間、例えば、０〜９９９から３０５を任意に選択し、チャネル番号に設定した後、段階２０４に進行する。段階２０４で、制御部は、段階２０１で実行されたアプリケーションのアプリ固有コードと設定されたチャネル番号“ｃｈ  ３０５”を含む識別子を生成した後、段階２０５及び段階２０６に進行する。段階２０５及び段階２０６で、マスタ端末機の制御部は、図３ｄに示されたように、表示部を制御し、アプリケーション名称であるＥｍｏｌｉｎｋとチャネル番号“ｃｈ  ３０５”を表示するようにし、無線通信部を制御し、識別子をブロードキャスティングするようにする。また、制御部は、図３ｄに示されたように、チャネル準備及びスレーブ端末機とのペアリング待機中であることを示すアイコン３０７を表示するように表示部を制御することができる。
【００２９】
一方、段階２０７で、スレーブ端末機の制御部は、アプリケーションを実行し、表示部を制御し、図４ａに示されたように、その実行画面４０１をメイン画面領域に表示するようにする。その後、段階２０８で、スレーブ端末機の制御部は、スレーブ開始イベント、例えば、図４ａに示されたように、受信アイコン４０２に対するタップを感知するようになれば、段階２０９に進行する。段階２０９で、制御部は、無線通信部が受信した識別子のうちアプリ固有コードを含んでいる識別子を検索した後、段階２１０に進行する。段階２１０で、制御部は、検索された個数を確認する。段階２１０での確認結果、２個以上なら段階２１１に進行し、１個なら、段階２１２に進行し、０個なら、段階２０９に戻る。段階２１１で、制御部は、表示部を制御し、図４ｂに示されたように、検索された識別子、例えば、“ＥｍｏＬｉｎｋ  ｃｈ  １０７”と“ＥｍｏＬｉｎｋ  ｃｈ  ３０５”を表示するようにする。ユーザは、マスタ端末機に表示されたチャネル番号（図３ｃ参照）と同一のチャネル番号すなわち、“ｃｈ  ３０５”をタップするようになり、これにより、スレーブ端末機の制御部は、チャネル番号“ｃｈ  ３０５”を含んでいる識別子を選択した後、段階２１２に進行する。
【００３０】
段階２１２で、制御部は、段階２１１でユーザによって選択された識別子からチャネル番号すなわち、“ｃｈ  ３０５”を抽出した後、段階２１３に進行する。一方、検索された識別子の個数が１個である場合、段階２１２で、制御部は、検索された識別子からチャネル番号、すなわち“ｃｈ  ３０５を抽出した後、段階２１３に進行する。段階２１３で、制御部は、チャネル番号“ｃｈ  ３０５”に該当するパスワードをメモリから抽出した後、段階２１４に進行する。段階２１４で、スレーブ端末機の制御部は、無線通信部を制御し、マスタ端末機にペアリング要請信号を伝送するようにする。ここで、ペアリング要請信号は、段階２１３で抽出されたパスワードとマスタ端末機の識別子を含む。
【００３１】
マスタ端末機の無線通信部は、スレーブ端末機からペアリング要請信号を受信する。また、マスタ端末機の制御部は、段階２０６で、ブロードキャスティングされた識別子に該当するパスワードをメモリから抽出する。次に、マスタ端末機の制御部は、抽出されたパスワードと受信されたパスワードを比較し、一致すれば、段階２１５で、無線通信部を制御し、ペアリング受諾信号をスレーブ端末機に伝送する。また、マスタ端末機の制御部は、スレーブ端末機とペアリングを完了した後、表示部を制御し、図３ｅに示されたように、“ペアリング完了！”を表示することができる。
【００３２】
一方、スレーブ端末機の制御部は、マスタ端末機とペアリングを完了すれば、表示部を制御し、図４ｃに示されたように、“ペアリング完了！”を表示することができる。
【００３３】
段階２１６で、互いにペアリングされたマスタ端末機とスレーブ端末機は、データ通信をするようになる。例えば、マスタ端末機の制御部は、段階２０２で選択された写真をスレーブ端末機に伝送するように無線通信部を制御する。また、マスタ端末機の制御部は、表示部を制御し、図３ｆに示されたように、伝送状態を表示することができる。写真伝送が完了すれば、マスタ端末機の制御部は、図３ｇに示されたように、“伝送完了！”を表示することができる。  一方、スレーブ端末機の無線通信部は、マスタ端末機から写真を受信する。また、スレーブ端末機の制御部は、表示部を制御し、図４ｄに示されたように、受信状態を表示することができる。
【００３４】
以上より、本発明の一実施例によれば、ペアリング手続が非常に簡単で且つ容易である。例えば、マスタ端末機のユーザは、アプリケーションアイコン３０４（図３ａ参照）と写真伝送アイコン３０６（図３ｂ参照）をそれぞれタップすることだけでペアリングを完了することができる。また、スレーブ端末機のユーザは、少なくは二回、多くは三回のタップでペアリングを完了することができる。
【００３５】
図５は、本発明の他の実施例による近距離無線通信方法を説明するための流れ図である。
【００３６】
段階５０１で、マスタ端末機の制御部は、アプリケーション実行イベント、例えば、画面に表示された当該アイコンに対するタップを感知すれば、アプリケーションを実行する。次に、段階５０２で、マスタ端末機の制御部は、マスタ開始イベントを感知すれば、段階５０３に進行する。段階５０３で、制御部は、チャネル番号を任意に設定した後、段階５０４に進行する。段階５０４で、制御部は、アプリ固有コードと設定されたチャネル番号を含む識別子を生成した後、段階５０５及び段階５０６に進行する。段階５０５及び段階５０６で、制御部は、表示部を制御し、設定されたチャネル番号を表示するようにし、無線通信部を制御し、識別子をブロードキャスティングするようにする。
【００３７】
一方、本発明によるスレーブ端末機は、アプリケーションが実行されれば、アプリ固有コードを含んでいる識別子をブロードキャスティングする他の端末機、すなわちマスタ端末機を持続的に検索し、ユーザに通知することができる。具体的に、段階５０７で、スレーブ端末機の制御部は、アプリケーション実行イベントを感知すれば、アプリケーションを実行する。次に、段階５０８で、スレーブ端末機の制御部は、無線通信部が受信した識別子のうちアプリ固有コードを含んでいる識別子を検索する。次に、段階５０９で、スレーブ端末機の制御部は、検索された個数を確認する。段階５０９での確認結果、０個なら、段階５０８に戻り、１個以上なら段階５１０に進行する。段階５１０で、制御部は、検索結果をユーザに通知する。例えば、段階５１０で、制御部は、表示部を制御し、通知メッセージを出力するようにする。次に、段階５１１で、スレーブ端末機の制御部は、スレーブ開始イベントを感知すれば、段階５１２に進行する。段階５１２で、制御部は、検索された個数をさらに確認し、２個以上なら、段階５１３に進行し、１個なら、段階５１４に進行する。段階５１３で、制御部は、表示部を制御し、検索された識別子それぞれのチャネル番号を表示するようにする。ユーザは、表示されたチャネル番号のうちマスタ端末機に表示されたものと同一のチャネル番号をタップするようになり、これにより、スレーブ端末機の制御部は、タップされたチャネル番号を含んでいる識別子を選択した後、段階５１４に進行する。段階５１４で制御部は識別子でチャネル番号を抽出した後段階５１５で進行する。段階５１５で、制御部は、抽出されたチャネル番号に該当するパスワードをメモリから抽出した後、段階５１６に進行する。段階５１６で、スレーブ端末機の制御部は、無線通信部を制御し、マスタ端末機にペアリング要請信号を伝送するようにする。これにより、マスタ端末機の無線通信部は、スレーブ端末機からペアリング要請信号を受信する。また、マスタ端末機の制御部は、段階５０６で、ブロードキャスティングされた識別子に該当するパスワードをメモリから抽出する。次に、マスタ端末機の制御部は、抽出されたパスワードと受信されたパスワードとを比較し、一致すれば、段階５１７に進行し、ペアリング受諾信号をスレーブ端末機に伝送するように無線通信部を制御するようになる。次に、段階５１８で、互いにペアリングされたマスタ端末機とスレーブ端末機は、データ通信をするようになる。
【００３８】
図６は、本発明のさらに他の実施例による近距離無線通信方法を説明するための流れ図である。
【００３９】
段階６０１で、マスタ端末機の制御部は、アプリケーション実行イベントを感知すれば、アプリケーションを実行する。次に、段階６０２で、マスタ端末機の制御部は、マスタ開始イベントを感知すれば、段階６０３に進行する。段階６０３で、制御部は、チャネル番号を任意に設定した後、段階６０４に進行する。段階６０４で、制御部は、アプリ固有コードと設定されたチャネル番号を含む識別子を生成した後、段階６０５及び段階６０６に進行する。段階６０５及び段階６０６で、制御部は、表示部を制御し、設定されたチャネル番号を表示するようにし、無線通信部を制御し、識別子をブロードキャスティングするようにする。
【００４０】
一方、本発明によるスレーブ端末機は、アプリケーションが実行されていないとしても、アプリ固有コードを含んでいる識別子をブロードキャスティングする他の端末機、すなわちマスタ端末機を検索し、検索されたマスタ端末機に対してユーザに案内することができる。具体的に、段階６０７で、スレーブ端末機の制御部は、無線通信部が受信した識別子のうちアプリ固有コードを含んでいる識別子を検索する。次に、段階６０８で、スレーブ端末機の制御部は、検索された個数を確認する。段階６０８での確認結果、０個なら、段階６０７に戻り、１個以上なら、段階６０９に進行する。段階６０９で、制御部は、識別子が検索されたことをユーザに通知する。例えば、段階６０９で、制御部は、表示部を制御し、識別子が検索されたことを通知するためのメッセージと、スレーブ機能の実行可否に対して問い合わせるためのメッセージを出力するようにする。次に、段階６１０で、スレーブ端末機の制御部は、スレーブ開始イベントを感知すれば、段階６１１に進行し、アプリケーションを自動で行う。次に、段階６１２で、スレーブ端末機の制御部は、検索された個数をさらに確認し、２個以上なら、段階６１３に進行し、１個なら、段階６１４に進行する。段階６１３で、制御部は、表示部を制御し、検索された識別子それぞれのチャネル番号を表示するようにする。ユーザは、表示されたチャネル番号のうちマスタ端末機に表示されたものと同一のチャネル番号をタップするようになり、これにより、スレーブ端末機の制御部は、タップされたチャネル番号を含んでいる識別子を選択した後、段階６１４に進行する。次に、段階６１４で、制御部は、識別子からチャネル番号を抽出した後、段階５１５に進行する。段階６１５で、制御部は、抽出されたチャネル番号に該当するパスワードをメモリから抽出した後、段階６１６に進行する。段階６１６で、スレーブ端末機の制御部は、無線通信部を制御し、マスタ端末機にペアリング要請信号を伝送するようにする。これにより、マスタ端末機の無線通信部は、スレーブ端末機からペアリング要請信号を受信する。また、マスタ端末機の制御部は、段階６０６でブロードキャスティングされた識別子に該当するパスワードをメモリから抽出する。次に、マスタ端末機の制御部は、抽出されたパスワードと受信されたパスワードを比較し、一致すれば、段階６１７に進行し、ペアリング受諾信号をスレーブ端末機に伝送するように無線通信部を制御するようになる。次に、段階６１８で、互いにペアリングされたマスタ端末機とスレーブ端末機は、データ通信をするようになる。
【００４１】
図７は、本発明のさらに他の実施例による近距離無線通信方法を説明するための流れ図である。
【００４２】
本発明による端末機は、ペアリングのためのパスワードをメモリに格納されているパスワードテーブルから抽出して設定するものではない、ユーザが任意に設定するようにして、保安を強化することができる。具体的に、段階７０１で、マスタ端末機の制御部は、アプリケーション実行イベントを感知すれば、アプリケーションを実行する。次に、段階７０２で、マスタ端末機の制御部は、パスワードを設定する。例えば、段階７０２で、マスタ端末機の制御部は、表示部を制御し、パスワードを任意に設定するべきかを問い合わせるメッセージを表示するようにする。これにより、マスタ端末機のユーザは、マスタ端末機の入力部でパスワードを入力し、マスタ端末機の入力部は、入力されたパスワードをマスタ端末機の制御部に伝達し、マスタ端末機の制御部は、伝達されたパスワードをペアリングのためのパスワードに設定する。次に、段階７０３で、マスタ端末機の制御部は、マスタ開始イベントを感知すれば、段階７０４に進行する。段階７０４で、制御部は、チャネル番号を任意に設定した後、段階７０５に進行する。段階７０５で、制御部は、アプリ固有コードと設定されたチャネル番号を含む識別子を生成した後、段階７０６及び段階７０７に進行する。段階７０６及び段階７０７で、制御部は、表示部を制御し、設定されたチャネル番号を表示するようにし、無線通信部を制御し、識別子をブロードキャスティングするようにする。
【００４３】
一方、段階７０８で、スレーブ端末機の制御部は、アプリケーション実行イベントを感知すれば、アプリケーションを実行する。次に、段階７０９で、スレーブ端末機の制御部は、スレーブ開始イベントを感知すれば、段階７１０に進行する。段階７１０で、制御部は、無線通信部が受信した識別子のうちアプリ固有コードを含んでいる識別子を検索する。次に、段階７１１で、スレーブ端末機の制御部は、検索された個数を確認する。段階７１１での確認結果、０個なら、段階７１０に戻り、２個以上なら段階７１２に進行し、１個なら、段階７１３に進行する。段階７１２で、制御部は、表示部を制御し、検索された識別子それぞれのチャネル番号を表示するようにする。ユーザは、表示されたチャネル番号のうちマスタ端末機に表示されたものと同一のチャネル番号をタップし、これにより、スレーブ端末機の制御部は、タップされたチャネル番号を含んでいる識別子を選択した後、段階７１３に進行する。段階７１３で、制御部は、表示部を制御し、パスワード入力窓を表示するようにする。これによって、スレーブ端末機のユーザはスレーブ端末機の入力部でパスワードを入力し、スレーブ端末機の入力部は、入力されたパスワードをスレーブ端末機の制御部に伝達し、スレーブ端末機の制御部は、伝達されたパスワードをペアリングのためのパスワードに設定する。次に、段階７１４で、スレーブ端末機の制御部は、無線通信部を制御し、マスタ端末機にペアリング要請信号を伝送するようにする。すなわち、ペアリング要請信号は、マスタ端末機の識別子とともに、ユーザが入力したパスワードを含む。次に、マスタ端末機の無線通信部は、スレーブ端末機からペアリング要請信号を受信する。また、マスタ端末機の制御部は、段階７０２で設定されたパスワードと受信されたパスワードを比較し、一致すれば、段階７１５に進行し、ペアリング受諾信号をスレーブ端末機に伝送するように無線通信部を制御する。次に、段階７１６で、互いにペアリングされたマスタ端末機とスレーブ端末機は、データ通信をする。
【００４４】
図８は、本発明のさらに他の実施例による近距離無線通信方法を説明するための流れ図である。本発明によるマスタ端末機は、チャネル番号を任意に設定するものではない、周辺のチャネル番号を検索し、空いているチャネル番号を自分のチャネル番号に設定することができる。具体的に、段階８０１で、マスタ端末機の制御部は、アプリケーション実行イベントを感知すれば、アプリケーションを実行する。次に、段階８０２で、マスタ端末機の制御部は、マスタ開始イベントを感知すれば、段階８０３に進行する。段階８０３で、制御部は、周辺のチャネル番号を検索する。具体的に、段階８０３で、制御部は、無線通信部が受信した識別子のうちアプリ固有コードを含んでいる識別子を検索し、検索された識別子からチャネル番号を抽出した後、段階８０４に進行する。段階８０４で、制御部は、検索されたチャネル番号を除いて最も早いチャネル番号を自分のチャネル番号に設定する。例えば、チャネル番号ｃｈ０、ｃｈ１が検索されれば、これらを除いて最も早い番号であるｃｈ２を自分のチャネル番号に設定する。このように、マスタ端末機がチャネル番号を順に定めるようになれば、同一のチャネル番号を設定するエラーが防止されることができる。また、スレーブ端末機では、チャネル番号を順に表示することができる。次に、段階８０５で、マスタ端末機の制御部は、アプリ固有コードと設定されたチャネル番号を含む識別子を生成した後、段階８０６及び段階８０７に進行する。段階８０６及び段階８０７で、制御部は、表示部を制御し、設定されたチャネル番号を表示するようにし、無線通信部を制御し、識別子をブロードキャスティングするようにする。
【００４５】
一方、段階８０８で、スレーブ端末機の制御部は、アプリケーション実行イベントを感知すれば、アプリケーションを実行する。次に、段階８０９で、スレーブ端末機の制御部は、スレーブ開始イベントを感知すれば、段階８１０に進行する。段階８１０で、制御部は、無線通信部が受信した識別子のうちアプリ固有コードを含んでいる識別子を検索する。次に、段階８１１で、スレーブ端末機の制御部は、検索された個数を確認する。段階８１１での確認結果、０個なら、段階８１０に戻り、２個以上なら段階８１２に進行し、１個なら、段階８１３に進行する。段階８１２で、制御部は、表示部を制御し、検索された識別子それぞれのチャネル番号、例えば、ｃｈ０、１及び２を表示するようにする。ユーザは、表示されたチャネル番号のうちマスタ端末機に表示されたものと同一のチャネル番号、例えば、ｃｈ２をタップし、これにより、スレーブ端末機の制御部は、タップされたチャネル番号を含んでいる識別子を選択した後、段階８１３に進行する。段階８１３で、制御部は、識別子からチャネル番号を抽出した後、段階８１４に進行する。段階８１４で、制御部は、抽出されたチャネル番号に該当するパスワードをメモリから抽出した後、段階８１５に進行する。段階８１５で、スレーブ端末機の制御部は、無線通信部を制御し、マスタ端末機にペアリング要請信号を伝送するようにする。これにより、マスタ端末機の無線通信部は、スレーブ端末機からペアリング要請信号を受信する。また、マスタ端末機の制御部は、段階８０７で、ブロードキャスティングされた識別子に該当するパスワードをメモリから抽出する。次に、マスタ端末機の制御部は、抽出されたパスワードと受信されたパスワードを比較し、一致すれば、段階８１６に進行し、ペアリング受諾信号をスレーブ端末機に伝送するように無線通信部を制御するようになる。次に、段階８１７で、互いにペアリングされたマスタ端末機とスレーブ端末機は、データ通信をする。
【００４６】
図９は、本発明のさらに他の実施例による近距離無線通信方法を説明するための流れ図である。
【００４７】
本発明によるマスタ端末機は、識別子ブロードキャスティングを省略し、識別子を隠すことによって、ネットワーク保安性を高めることができる。具体的に、段階９０１で、マスタ端末機の制御部は、アプリケーション実行イベントを感知すれば、アプリケーションを実行する。次に、段階９０２で、マスタ端末機の制御部は、マスタ開始イベントを感知すれば、段階９０３に進行する。段階９０３で、制御部は、周辺のチャネル番号を直接検索する。言い換えれば、段階９０３で、制御部は、チャネル番号を順次に検索し、先占可否を確認した後、段階９０４に進行する。段階９０４で、制御部は、検索されないチャネル番号を自分のチャネル番号に決定した後、段階９０５に進行する。段階９０５で、制御部は、決定されたチャネル番号を表示する。段階９０３〜段階９０５について具体的に説明すれば、マスタ端末機の制御部は、他のマスタ端末機を検索するための第１順番の検索用識別子を生成し、これをブロードキャスティングするように無線通信部を制御する。ブロードキャスティング結果、他のマスタ端末機から応答があれば、次の第２順番の検索用識別子を生成した後、これをブロードキャスティングするように無線通信部を制御し、一方、他のマスタ端末機から応答がなければ、第１順番の検索用識別子をスレーブ端末機とペアリングのための識別子として決定する。ここで、マスタ端末機の制御部は、多数のチャネル番号のうちいずれか１つを決定し、このように決定されたチャネル番号から降順または昇順でアプリ固有コードと組み合わせて、検索用識別子を順次、生成する。例えば、マスタ端末機は、第一に“ＥｍｏＬｉｎｋ  ｃｈ  ０”を生成し、ブロードキャスティングする。これに対して他のマスタ端末機から応答があれば、マスタ端末機は、第二に“ＥｍｏＬｉｎｋ  ｃｈ  １”を生成し、ブロードキャスティングし、一方、応答がなければ、“ＥｍｏＬｉｎｋ  ｃｈ  ０”をスレーブ端末機とペアリングのための識別子として決定する。次に、マスタ端末機の制御部は、決定された識別子またはこれに含まれたチャネル番号ｃｈ１を表示するように表示部を制御する。
【００４８】
一方、段階９０６で、スレーブ端末機の制御部は、アプリケーション実行イベントを感知すれば、アプリケーションを実行する。次に、段階９０７で、スレーブ端末機の制御部は、スレーブ開始イベントを感知すれば、段階９０８に進行する。段階９０８で、制御部は、周辺のチャネル番号を直接検索する。具体的に、段階９０８で、制御部は、マスタ端末機を検索するための第１順番の検索用識別子を生成し、これをブロードキャスティングするように無線通信部を制御する。ブロードキャスティング結果、マスタ端末機から応答があれば、次の第２順番の検索用識別子を生成した後、これをブロードキャスティングするように無線通信部を制御し、一方、マスタ端末機から応答がなければ、段階９０９に進行する。ここで、スレーブ端末機の制御部は、多数のチャネル番号のうちいずれか１つを設定し、このように設定されたチャネル番号から降順または昇順でアプリ固有コードと組み合わせて、検索用識別子を順次生成する。特に、スレーブ端末機は、マスタ端末機と同様にチャネル番号を設定する。すなわち、マスタ端末機の制御部が他のマスタ端末機を検索するために、チャネル番号を‘０’番から昇順に設定するもののように、スレーブ端末機の制御部は、チャネル番号を‘０’番から昇順に設定する。段階９０９で、制御部は、検索された個数を確認する。段階９０９での確認結果、０個なら、段階９０８に戻り、２個以上なら、段階９１０に進行し、１個なら、段階９１１に進行する。段階９１０で、制御部は、表示部を制御し、検索された識別子それぞれのチャネル番号、例えば、ｃｈ０及び１を表示するようにする。ユーザは、表示されたチャネル番号のうちマスタ端末機に表示されたものと同一のチャネル番号、例えば、ｃｈ１をタップし、これにより、スレーブ端末機の制御部は、タップされたチャネル番号を含んでいる識別子を選択した後、段階９１１に進行する。段階９１１で、制御部は、識別子からチャネル番号を抽出した後、段階９１２に進行する。段階９１２で、制御部は、抽出されたチャネル番号に該当するパスワードをメモリから抽出した後、段階９１３に進行する。段階９１３で、スレーブ端末機の制御部は、無線通信部を制御し、マスタ端末機にペアリング要請信号を伝送するようにする。これにより、マスタ端末機の無線通信部は、スレーブ端末機からペアリング要請信号を受信する。また、マスタ端末機の制御部は、自分の識別子に該当するパスワードをメモリから抽出する。次に、マスタ端末機の制御部は、抽出されたパスワードと受信されたパスワードを比較し、一致すれば、段階９１４に進行し、ペアリング受諾信号をスレーブ端末機に伝送するように無線通信部を制御する。次に、段階９１５で、互いにペアリングされたマスタ端末機とスレーブ端末機は、データ通信をする。
【００４９】
図１０は、本発明のさらに他の実施例による近距離無線通信方法を説明するための流れ図である。図１１は、本発明の他の実施例によるマスタ端末機で表示される画面であり、図１２は、本発明の他の実施例によるスレーブ端末機で表示される画面である。下記に例示したように、本発明によるマスタ端末機とスレーブ端末機は、ペアリングを終了すれば、従来のネットワークに戻ることができる。
【００５０】
マスタ端末機の表示部は、制御部の制御によって、図１１ａに示されたように、指示子画面１１０１、ホーム画面１１０２及びサブ画面１１０３を表示する。ユーザがアプリケーションアイコン１１０４をタップすれば、タッチスクリーンは、これと関連したタッチイベントを制御部に伝達し、段階１００１で、制御部は、これを感知し、当該アプリケーションを実行し、表示部を制御し、その実行画面１１０５をメイン画面領域に表示するようにする。その後、段階１００２で、マスタ端末機の制御部は、マスタ開始イベント、例えば、図１１ｂに示されたように、マスタ開始アイコン１１０６に対するタップを感知すれば、段階１００３に進行する。段階１００３で、マスタ端末機の制御部は、チャネル番号を任意に設定する。次に、段階１００４で、マスタ端末機の制御部は、アプリ固有コードと設定されたチャネル番号を含む識別子を生成した後、段階１００５及び段階１００６に進行する。段階１００５及び段階１００６で、マスタ端末機の制御部は、図１１ｃに示されたように、表示部を制御し、チャネル番号１１０７を表示するようにし、無線通信部を制御し、識別子をブロードキャスティングするようにする。また、制御部は、図１１ｃに示されたように、ペアリング試み中であることを示すアイコン１１０８を表示するように表示部を制御する。また、制御部は、前記識別子とともに、保安設定可否を示す情報をブロードキャスティングするようにすることができる。
【００５１】
一方、段階１００７で、スレーブ端末機の制御部は、アプリケーションを実行し、表示部を制御し、図１２ａに示されたように、その実行画面１２０１をメイン画面領域に表示するようにする。その後、段階１００８で、スレーブ端末機の制御部は、スレーブ開始イベント、例えば、図１２ａに示されたように、スレーブ開始アイコン１２０２に対するタップを感知すれば、段階１００９に進行する。段階１００９で、制御部は、受信された識別子のうちアプリ固有コードを含んでいる識別子を検索する。次に、段階１０１０で、スレーブ端末機の制御部は、検索された個数を確認する。段階１００９での確認結果、０個なら、段階１００９に戻り、２個以上なら、段階１０１１に進行し、１個なら、段階１０１２に進行する。段階１０１１で、制御部は、表示部を制御し、図１２ｂに示されたように、受信された多数のチャネル番号、例えば、“ＥｍｏＬｉｎｋ  ｃｈ  １０７”と“ＥｍｏＬｉｎｋ  ｃｈ  ３０５”を表示するようにする。また、制御部は、受信された識別子のうち他のアプリケーション、例えば、“Ｃａｒｄ  Ｇａｍｅ”を表示することもできる。すなわち、制御部は、オンラインカードゲームを実行中の他のマスタ端末機を表示することもできる。また、制御部は、アクセスポイントの名称、例えば、Ｉｐｔｉｍｅを表示することもできる。ユーザは、マスタ端末機に表示されたチャネル番号１１０７（図１１ｃと同一）“ＥｍｏＬｉｎｋ  ｃｈ  ３０５”をタップし、これにより、スレーブ端末機の制御部は、“ＥｍｏＬｉｎｋ  ｃｈ  ３０５”を選択した後、段階１０１２に進行する。
【００５２】
段階１０１２で、制御部は、識別子からチャネル番号を抽出した後、段階１０１３に進行する。段階１０１３で、制御部は、抽出されたチャネル番号に該当するパスワードをメモリから抽出した後、段階１０１４に進行する。一方、このようなパスワード抽出過程は、マスタ端末機が保安設定されていない場合には、省略されることができる。段階１０１４で、スレーブ端末機の制御部は、無線通信部を制御し、マスタ端末機にペアリング要請信号を伝送するようにする。これにより、マスタ端末機の無線通信部は、スレーブ端末機からペアリング要請信号を受信する。また、マスタ端末機の制御部は、段階１００６で、ブロードキャスティングされた識別子に該当するパスワードをメモリから抽出する。次に、マスタ端末機の制御部は、抽出されたパスワードと受信されたパスワードを比較し、一致すれば、段階１０１５に進行し、ペアリング受諾信号をスレーブ端末機に伝送するように無線通信部を制御するようになる。スレーブ端末機とペアリングを完了した後、マスタ端末機の制御部は、第３者とのペアリングを防止するために識別子のブロードキャスティングを中止することができる。勿論、これに限定されるものではない。マスタ端末機は、例えば、多数のスレーブ端末機とデータ通信をしようとする場合、識別子のブロードキャスティングを続くことができる。また、スレーブ端末機とペアリングを完了した後、制御部は、表示部を制御し、図１１ｄに示されたように、“ペアリング完了！”を表示するようにすることができる。一方、スレーブ端末機の制御部は、表示部を制御し、図１２ｃに示されたように、“ペアリング完了！”を表示するようにすることができる。
【００５３】
次に、段階１０１６で、互いにペアリングされたマスタ端末機とスレーブ端末機は、データ通信をする。１つの例において、図１１ｅに示されたように、ユーザが写真伝送ボタン１１０９をタップすれば、マスタ端末機の制御部は、表示部を制御し、図１１ｆに示されたように、写真選択画面１１１０を表示するようにする。次に、ユーザが写真を選択し、伝送ボタン１１１１をタップすれば、マスタ端末機の制御部は、選択された写真をスレーブ端末機に伝送するように無線通信部を制御する。また、マスタ端末機の制御部は、表示部を制御し、図１１ｇに示されたように、送信状態を表示するようにすることができる。写真送信が完了すれば、マスタ端末機の制御部は、図１１ｈに示されたように、“伝送完了！”を表示するようにすることができる。一方、スレーブ端末機の制御部は、図１２ｄに示されたように、ユーザが写真受諾ボタン１２０３をタップすれば、写真を受信するように無線通信部を制御する。また、スレーブ端末機の制御部は、図１２ｅに示されたように、受信状態を表示するようにすることができる。次に、段階１０１７で、マスタ端末機の制御部は、アプリケーション終了イベント、例えば、アプリケーション終了ボタン１１１２（図１１ｈ）に対するタップを感知すれば、段階１０１８に進行する。段階１０１８で、制御部は、以前に連結されていたネットワークに戻る。すなわち、マスタ端末機の制御部は、スレーブ端末機とのペアリングを終了し、スレーブ端末機とペアリングする前に連結されていたネットワーク、例えば、アクセスポイントにさらに連結する。同様に、段階１０１９で、スレーブ端末機の制御部は、アプリケーション終了イベントを感知すれば、段階１０２０に進行し、以前に連結されていたネットワークに戻る。
【００５４】
本発明の近距離無線通信方法及びこれを具現する端末機は、前述した実施例に限定されず、本発明の技術思想が許容する範囲で多様に変形して実施することができる。
【符号の説明】
【００５５】
１００  端末機
１１０  入力部
１１１  タッチスクリーン
１１２  キー入力部
１２０  表示部
１３０  メモリ
１４０  無線通信部
１５０  カメラ
１６０  制御部
３０１  指示子画面
３０２  ホーム画面
３０３  サブ画面
３０４  アプリケーションアイコン
３０５  実行画面
３０６  写真伝送アイコン
３０７  アイコン
３０８  写真選択画面
４０１  実行画面
４０２  受信アイコン
１１０１  指示子画面
１１０２  ホーム画面
１１０３  サブ画面
１１０４  アプリケーションアイコン
１１０５  実行画面
１１０６  マスタ開始アイコン
１１０７  チャネル番号
１１０８  アイコン
１１０９  写真伝送ボタン
１１１０  写真選択画面
１１１１  伝送ボタン
１１１２  アプリケーション終了ボタン
１２０１  実行画面
１２０２  スレーブ開始アイコン
【図１】
0005917690.tif 000002
【図２】
0005917690.tif 000003
【図３】
0005917690.tif 000004
【図４】
0005917690.tif 000005
【図５】
0005917690.tif 000006
【図６】
0005917690.tif 000007
【図７】
0005917690.tif 000008
【図８】
0005917690.tif 000009
【図９】
0005917690.tif 000010
【図１０】
0005917690.tif 000011
【図１１】
0005917690.tif 000012
【図１２】
0005917690.tif 000013